(57)【要約】      （修正有）【課題】失禁症に対応して、外観から失禁用下着の着用状態が分からないようにした失禁用下着を提供する。【解決手段】ショーツやパンティ、パンツの下着本体２のクロッチ部５に失禁用の防水シート１１をクロッチ部５そってその縫合部に縫合することなく、クロッチ部５から遊離させてクロッチ部５から防水シート１１の前部または／および後部の端部を所要量上部へ突き出して下着本体２に取り付けているもので、防水シート１１の周縁に縫合の縫合用テープ１３等の前後の両側端部を側方にそれぞれ突き出して、この突出片１７、１８を介してクロッチ部５の側端部に縫着して４点支持等で取り付けている。【選択図】図１
0003164944.tif 000002
【実用新案登録請求の範囲】
【請求項１】
ショーツやパンティ、パンツの下着本体のクロッチ部に失禁用の防水シートをクロッチ部にそってその縫合部に縫合することなく、クロッチ部から遊離させてクロッチ部から防水シートの前部または／および後部の端部を所要量上部へ突き出して下着本体に取り付けたことを特徴とする失禁用下着。
【請求項２】
防水シートの周縁に縫合の縫合用テープの前後の両側端部を側方にそれぞれ突き出して、この側方にそれぞれ突き出した突出片を介して防水シートをクロッチ部の側端部に縫着して取り付けた請求項１に記載の失禁用下着。
【請求項３】
防水シートの前部および後部をクロッチ部の前部および後部から前部側および後部側へ１〜５ｃｍそれぞれ突き出した請求項１または２に記載の失禁用下着。
【請求項４】
防水シートの左右の両側縁部を下着本体にそって縫着せずに遊離状態とした請求項１ないし３のいずれかに記載の失禁用下着。
【請求項５】
防水シートをクロッチ部の前部および後部を長くした分銅状の形状とし、その前部および後部の扇形部片の両側端縁部の縫合用テープの前後の両側端部を少し側方にそれぞれ突き出して、この側方にそれぞれ突き出した突出片をクロッチ部の両側部の前部および後部に縫着して防水シートを４点で取り付けた請求項１ないし４のいずれかに記載の失禁用下着。
【考案の詳細な説明】
【技術分野】
【０００１】
本考案は、衣料分野におけるショーツやパンティ、パンツ等の失禁用下着に関するものである。
【背景技術】
【０００２】
近年、高齢者が増加し、泌尿器の生理的退行によって失禁症が増え、また若年者にも失禁症が増えている。そこで、一般に失禁症者用におむつが考えられているが、重失禁症者には着用されても、軽失禁症者等にはこのようなおむつを着用することは、直ちに外観からその着用状態が分かるので着用を好まなく、通常者が着用する下着を着用している。
【０００３】
このような下着は、特殊な処理を施したものでないため、特開２００２−３４５８９１号公報、特開２００５−２４０２５２号公報、特開２０１０−１８９２１号公報のように防水性の吸水体を下着に取り付けた失禁用下着が提供され、販売されている。  
【考案の開示】
【考案が解決しようとする課題】
【０００４】
しかし、これらの失禁用下着では、股間部のクロッチ部に重ね合せるようにして防水性の吸水シートを縫合して取り付けており、通常者が着用する下着のものでは十分に失禁尿を吸収できないことがあった。
【０００５】
そのため、クロッチ部を大きくした、まるでおむつのように幅広く、丈も長くして防水性の吸水シートの面積を広くしているが、着用すると失禁用下着であることが分かり、着用率がよくなく、体裁のよいものを開発することが課題であった。
【課題を解決するための手段】
【０００６】
本考案は、上記のような点に鑑みたもので、上記の課題を解決するために、請求項１のように、ショーツやパンティ、パンツの下着本体のクロッチ部に失禁用の防水シートをクロッチ部の縫合部に縫合することなく、防水シートの前部または／および後部の端部をクロッチ部から遊離させて所要量突き出して下着本体に取り付けたことを特徴とする失禁用下着を提供するにある。
【０００７】
また、請求項２のように、防水シートの周縁の縫合の縫合用テープの前後の両側端部を側方にそれぞれ突き出して、この側方にそれぞれ突き出した突出片を介して防水シートをクロッチ部の側端部に縫着して取り付けたことを特徴とする失禁用下着を提供するにある。
【０００８】
また、請求項３のように、防水シートの前部および後部をクロッチ部の前部および後部から前部側および後部側へそれぞれ突き出したことを特徴とする失禁用下着を提供するにある。
【０００９】
さらに、請求項４のように、防水シートの左右の両側縁部を下着本体にそって縫着せずに遊離状態としたことを特徴とする失禁用下着を提供するにある。
【００１０】
さらに、請求項５のように、防水シートをクロッチ部の前部および後部を長くした分銅状の形状とし、その前部および後部の扇形部片の両側端縁部の縫合用テープの前後の両側端部を少し側方にそれぞれ突き出して、この側方にそれぞれ突き出した突出片をクロッチ部の両側部の前部および後部に縫着して防水シートを４点で取り付けたことを特徴とする失禁用下着を提供するにある。
【考案の効果】
【００１１】
本考案の失禁用下着は、請求項１のように、ショーツやパンティ、パンツの下着本体のクロッチ部に失禁用の防水シートをクロッチ部にそってその縫合部に縫合することなく、クロッチ部から遊離させてクロッチ部から防水シートの前部または／および後部の端部を所要量上部へ突き出して下着本体に取り付けたことによって、失禁用の防水シートを大きくできて失禁尿の吸収量を増加できるにもかかわらず、失禁用下着をおむつのように大きくすることなく、通常の下着と同様の外観として、失禁用下着の着用を外観から分からないようにできて、着用率の向上をはかることができる。
【００１２】
また、請求項２のように、防水シートの周縁に縫合の縫合用テープの前後の両側端部を側方にそれぞれ突き出して、この側方にそれぞれ突き出した突出片を介して防水シートをクロッチ部の側端部に縫合して取り付けたことによって、防水シートを失禁用下着に遊離状態に取り付けられ、上記のように着用率の向上をはかることができる。
【００１３】
さらに、請求項３のように、防水シートの前部および後部をクロッチ部の前部および後部から前部側および後部側へ１〜５ｃｍそれぞれ突き出したことによって、防水シートの前部および後部の端部をクロッチ部より突き出して面積率を１０〜３０％も大きくできて、上記のように着用率の向上をはかることができる。
【００１４】
またさらに、請求項４のように、防水シートの左右の両側縁部を下着本体にそって縫着せずに遊離状態としたことによって、通常の下着と同様の外観として、失禁用下着の着用を外観から分からないようにできて、着用率の向上をはかることができ、必要により従来のように吸収用シートを装着するようにできる。
【００１５】
さらにまた、請求項５のように、防水シートをクロッチ部の前部および後部を長くした分銅状の形状とし、その前部および後部の扇形部片の両側端縁部の縫合用テープの前後の両側端部を少し側方にそれぞれ突き出して、この側方にそれぞれ突き出した突出片をクロッチ部の両側部の前部および後部に縫着して防水シートを４点で取り付けたことによって、防水シートの前部および後部の端部をクロッチ部よりも大きくできて、上記のように着用率の向上をはかることができる。
【図面の簡単な説明】
【００１６】
【図１】本考案の一実施例の正面図、
【図２】同上の背面図、
【図３】同上の防水シート部の平面図、
【図４】同上の防水シートの取り付け状態説明用の一部省略した側面図。
【考案を実施するための形態】
【００１７】
本考案の失禁用下着は、ショーツやパンティ、パンツの下着本体のクロッチ部に失禁用の防水シートをクロッチ部にそってその縫合部に縫合することなく、クロッチ部から遊離させてクロッチ部から防水シートの前部または／および後部の端部を所要量上部へ突き出して下着本体に取り付けたことを特徴としている。
【００１８】
失禁用下着１は、ショーツやパンティ、パンツ等の下着であって、図１、図２のように下着本体２を前身頃３と後身頃４の下端部にクロッチ部５を介して縫合して接続しているとともに、前身頃３と後身頃４の両側端部を縫合して筒状とし、上縁端部に帯状の伸縮部材６を縫着し、前身頃３と後身頃４の下端部にクロッチ部５を介して縫合した両側の脚部挿入開口７、８の周縁に縁材９、１０を装着して形成している。
【００１９】
前身頃３、後身頃４、クロッチ部５は、横方向に伸縮性のある綿等の天然繊維や合成繊維の生地や、縦横２方向に伸縮性のある綿等の天然繊維や合成繊維の生地を使用して形成できる。前身頃３、後身頃４は、２分割に限らず、適宜に分割して成形できる。
【００２０】
このように形成したクロッチ部５の内面側には、図１〜図４のようにクロッチ部５に似た分銅状の形状の失禁用の防水シート１１をクロッチ部５に遊離させて取り付けているもので、防水シート１１の周縁の縫合の縫合用テープ１２、１３、１４、１５の前後の弧状の縫合用テープ１２、１３の両側端部を少し側方にそれぞれ突き出し、この側方にそれぞれ突き出した突出片１６、１７を介してクロッチ部５の両側端部にそれぞれ縫着して４点支持状態として取り付けている。
【００２１】
このように上記失禁用の防水シート１１は、図３、図４のように前部および後部の扇形部１８、１９をクロッチ部５から遊離させて前部側および後部側へそれぞれ突き出し、また防水シート１１の左右の両側縁部を下着本体２に縫着せずに遊離状態としている。
【００２２】
そのため、失禁用の防水シート１１はクロッチ部５に重ね合せて縫合しないため、防水シート１１を大きくできて失禁尿の吸収量を増加でき、失禁用下着をおむつのように大きくすることなく、通常の下着と同様の外観で、失禁用の防水シート１１の着用を外観から分からず、着用率の向上をはかることができる。
【００２３】
防水シート１１としては、たとえばクロッチ部５に対して前部側に１〜３ｃｍ、後部側に１〜５ｃｍ程突き出すことができ、従来のクロッチ部５に重ね合せのものに対して１０〜３０％の面積を増大することができる。なお、軽失禁症者、中失禁症者、重失禁症者等の失禁症者用に対応して適宜の大きさにでき、たとえば軽失禁症者には１０〜１５％、中失禁症者には１５〜２０％、重失禁症者には２０〜３０％の大きさにできる。クロッチ部５の前部側と後部側に突き出すことが好ましいが、必要により一方側とすることもできる。
【００２４】
このような失禁用の防水シート１１は、たとえば非透水性の防水布２０に吸水性の吸水層２１、逆戻り不可の透過性のメッシュシート２２等を重ね合わせて失禁尿を吸収可能にしている。また、必要により消臭、抗菌、ラミネート、速乾処理シート等を適宜に採用して積層して形成したものを使用することができるものである。
【００２５】
上記では、女性用のショーツやパンティの失禁用下着について説明したが、パンツ、パンティガードルや男性用のパンツ等についても、上記した本考案の趣旨にもとづいて適宜な実施態様を実施することができる。
【実施例】
【００２６】
図１以下は、本考案の失禁用下着１のショーツの一実施例を示すものである。ショーツの下着本体２は、図１、図２のように下着本体２を横方向に伸縮性のある綿の生地の前身頃３と後身頃４の下端部にクロッチ部５を介して縫合して接続するとともに、前身頃３と後身頃４の両側端部を縫合して筒状としている。６は帯状の伸縮部材、９、１０は脚部挿入開口７、８の周縁の縁材である。
【００２７】
股間部に当接するクロッチ部５の内面側には、図１〜図４のように分銅状の形状の失禁用の防水シート１１を周縁の縫合の縫合用テープ１２、１３、１４、１５の前後の弧状の縫合用テープ１２、１３の両側端部を５〜１０mm程少し側方にそれぞれ突き出し、この側方にそれぞれ突き出した突出片１６、１７を介してクロッチ部５の両側端部に縫着し、４点支持でクロッチ部５に遊離状態として取り付けている。上記失禁用の防水シート１１は、図３、図４のように前部および後部を扇形部片１８、１９としてクロッチ部５から遊離させ、前部側を１ｃｍ、後部側に３ｃｍ程突き出している。前部側は１〜２ｃｍ、後部側を３ｃｍ以上突き出すことが吸収量を多くできて好ましい。
【００２８】
失禁用の防水シート１１は、非透水性の防水布２０に吸水性の吸水層２１、逆戻り不可の透過性のメッシュシート２２を重ね合わせて失禁尿を吸収可能としていて、軽失禁症者に対応して前部および後部の扇形部片１８、１９を上記のような大きさにして前部側および後部側へそれぞれ突き出せる。
【００２９】
そのため、失禁用の防水シート１１をクロッチ部５の大きさに限定されずに所要の大きさにできて失禁尿を十分に吸収するようにでき、失禁用下着をおむつのように大きくすることなく、通常の下着と同様の外観にでき、失禁用の防水シート１１の着用を外観から分からないようにでき、着用率の向上をはかることができる。
【００３０】
なお、失禁用の防水シート１１は、上記のようにロッチ部５に４点支持で縫着して図３、図４のように前部および後部、両側部をクロッチ部５から遊離させて縫着することが好ましいが、本考案の趣旨にもとづいて着用を外観から分からないように適宜な支持や縫着等の実施態様を実施することができる。
【産業上の利用可能性】
【００３１】
本考案は、高齢者から若年者等の失禁用のショーツやパンティ、パンツ等の下着に利用することができる。
【符号の説明】
【００３２】
１…失禁用下着      ２…下着本体      ５…クロッチ部    １１…防水シート
１２、１３…縫合用テープ    １６、１７…突出片    １８、１９…扇形部片
【先行技術文献】
【特許文献】
【００３３】
【特許文献１】特開２００２−３４５８９１号公報
【特許文献２】特開２００５−２４０２５２号公報
【特許文献３】特開２０１０−１８９２１号公報
【図１】
0003164944.tif 000003
【図２】
0003164944.tif 000004
【図３】
0003164944.tif 000005
【図４】
0003164944.tif 000006